【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
ヘッドフォンオフイヤー検知用の信号処理装置であって、
ヘッドフォンカップ内のヘッドフォンスピーカに向かって音声信号を送信するための音声出力と、
前記ヘッドフォンカップ内のフィードバックマイクロフォンからフィードバック信号を受信するためのフィードバックマイクロフォン入力と、
オフイヤー検知信号プロセッサとを備え、
前記オフイヤー検知信号プロセッサは、
オフイヤー検知フレーム上の前記フィードバック信号の音声周波数応答を周波数応答受信値として決定し、
前記音声信号の音声周波数応答と、前記ヘッドフォンスピーカと前記フィードバックマイクロフォンとの間のオフイヤー伝達関数との積をオンイヤー応答理想値として決定し、
前記周波数応答受信値を前記オフイヤー周波数応答理想値と比較することによって、差分メトリックを生成し、
前記差分メトリックを用いて、前記ヘッドフォンカップが耳から取り外されているか否かを検知するように構成されている、信号処理装置。
【請求項２】
前記ヘッドフォンカップの外側のフィードフォワードマイクロフォンからフィードフォワード信号を受信するためのフィードフォワードマイクロフォン入力をさらに備え、
前記オフイヤー検知信号プロセッサは、前記周波数応答受信値を決定するときに、前記フィードフォワード信号と前記フィードバック信号との間の相関周波数応答を除去するようにさらに構成されている、請求項１に記載の信号処理装置。
【請求項３】
前記オフイヤー検知信号プロセッサは、前記音声信号の音声周波数応答と、前記ヘッドフォンスピーカと前記フィードバックマイクロフォンとの間のオンイヤー伝達関数との積をオンイヤー応答理想値として決定するようにさらに構成されている、請求項２に記載の信号処理装置。
【請求項４】
前記オフイヤー検知信号プロセッサは、前記オンイヤー応答理想値に基づいて前記差分メトリックを正規化するようにさらに構成されている、請求項３に記載の信号処理装置。
【請求項５】
前記差分メトリックは、以下の式に従って決定され、
【数１】
2019533953.tif 000001
式中、受信値は、周波数応答受信値を表し、オフイヤー理想値は、オフイヤー周波数応答理想値を表し、オンイヤー理想値は、オンイヤー周波数応答理想値を表す、請求項４に記載の信号処理装置。
【請求項６】
前記差分メトリックは、複数の周波数ビンを含み、
前記オフイヤー検知信号プロセッサは、前記周波数ビンに重みを付けるようにさらに構成されている、請求項２に記載の信号処理装置。
【請求項７】
前記オフイヤー検知信号プロセッサは、周波数ビンの重みの合計を差分メトリック信頼度として決定し、前記差分メトリック信頼度を用いて、前記ヘッドフォンカップが前記耳から取り外されているか否かを検知するようにさらに構成されている、請求項６に記載の信号処理装置。
【請求項８】
前記オフイヤー検知信号プロセッサは、前記差分メトリック信頼度が差分メトリック信頼度閾値を上回り且つ前記差分メトリックが差分メトリック閾値を上回るときに、前記ヘッドフォンカップが着用されていると判断するようにさらに構成されている、請求項７に記載の信号処理装置。
【請求項９】
前記音声信号がノイズフロアを下回るときに、特定の周波数ビンでオフイヤー検知トーンを生成することによって、前記差分メトリックの生成をサポートするように構成されたトーンジェネレータをさらに備える、請求項６に記載の信号処理装置。
【請求項１０】
前記オフイヤー検知信号プロセッサは、前記トーンジェネレータを制御することによって、ノイズフロアトーンパワーに対するオフイヤー検知トーンパワーの比にプログラム可能なマージンを維持するようにさらに構成されている、請求項９に記載の信号処理装置。
【請求項１１】
左側フィードフォワードマイクロフォンから左側フィードフォワード信号を受信するための左側フィードフォワードマイクロフォン入力と、
右側フィードフォワードマイクロフォンから右側フィードフォワード信号を受信するための右側フィードフォワードマイクロフォン入力とを備え、
前記オフイヤー検知信号プロセッサは、前記フィードフォワード信号のうち強い信号から風ノイズを検知した場合に、前記フィードフォワード信号のうち弱い信号を選択して、前記ノイズフロアを決定するようにさらに構成されている、請求項９記載の信号処理装置。
【請求項１２】
前記差分メトリックは、オフイヤー検知サイクルに亘って平均化され、
前記オフイヤー検知信号プロセッサは、前記差分メトリックの平均値が差分メトリック閾値を上回る場合に、前記ヘッドフォンカップが取り外されていると判断するようにさらに構成されている、請求項１に記載の信号処理装置。
【請求項１３】
前記差分メトリックを含む複数の差分メトリックは、オフイヤー検知サイクルに亘って生成され、
前記オフイヤー検知信号プロセッサは、前記差分メトリック間の変化が差分メトリック変化閾値を上回る場合に、前記ヘッドフォンカップが取り外されていると判断するようにさらに構成されている、請求項１に記載の信号処理装置。
【請求項１４】
前記オフイヤー検知信号プロセッサは、
複数の周波数ビンに亘る前記差分メトリックの変動に基づいて、歪みメトリックを決定し、
前記歪みメトリックが歪み閾値を上回る場合に、前記差分メトリックを無視するようにさらに構成されている、請求項１に記載の信号処理装置。
【請求項１５】
前記オフイヤー検知信号プロセッサは、
前記音声信号の位相に基づいて、前記フィードバック信号の位相期待値を決定し、
前記フィードバック信号に関連する周波数応答受信値の位相と前記フィードバック信号に関連する前記周波数応答受信値の前記位相期待値との差が位相マージンを上回る場合に、前記差分メトリックに対応する信頼度メトリックを減らすようにさらに構成されている、請求項１に記載の信号処理装置。
【請求項１６】
トーンジェネレータを用いて、特定の周波数ビンでオフイヤー検知トーンを生成するステップと、
前記オフイヤー検知トーンを、ヘッドフォンスピーカに転送される音声信号に挿入するステップと、
フィードフォワードマイクロフォン信号からノイズフロアを検知するステップと、
前記ノイズフロアの音量に基づいて前記オフイヤー検知トーンの音量を調整するステップと、
フィードバックマイクロフォンからのフィードバック信号を前記音声信号と比較することによって、差分メトリックを生成するステップと、
前記差分メトリックを用いて、前記ヘッドフォンカップが耳から取り外されているか否かを検知するステップとを含む、方法。
【請求項１７】
前記オフイヤー検知トーンの前記音量と前記ノイズフロアの前記音量との間には、トーンマージンが存在する、請求項１６に記載の方法。
【請求項１８】
前記ヘッドフォンカップが取り外されているか否かを検知するステップは、前記差分メトリックが閾値を超えているか否かを判断することを含む、請求項１６に記載の方法。
【請求項１９】
前記差分メトリックは、
オフイヤー検知フレーム上の前記フィードバック信号の音声周波数応答を周波数応答受信値として決定し、
前記音声信号の音声周波数応答と、前記ヘッドフォンスピーカと前記フィードバックマイクロフォンとの間のオフイヤー伝達関数との積をオンイヤー応答理想値として決定し、
前記周波数応答受信値を前記オフイヤー周波数応答理想値と比較することによって、差分メトリックを生成することによって生成される、請求項１６に記載の方法。
【請求項２０】
前記差分メトリックは、前記特定の周波数ビンを含む複数の周波数ビンに亘って決定され、
前記方法は、
前記周波数ビンに重みを付けるステップと、
周波数ビンの重みの合計を差分メトリック信頼度として決定するステップと、
前記差分メトリック信頼度を用いて、前記ヘッドフォンカップが前記耳から取り外されているか否かを検知するステップとをさらに含む、請求項１９に記載の方法。
【手続補正２】
【補正対象書類名】明細書
【補正対象項目名】００４６
【補正方法】変更
【補正の内容】
【００４６】
動作５１２において、ＯＥＤプロセッサは、関連する閾値を計算する。閾値は、音声信号パワーおよびＦＦマイクロフォン信号パワーの関数として計算されてもよい。例えば、音声信号内の音楽および／またはＦＦマイクロフォン信号内に記録された周囲ノイズの音量は、経時的に著しく変化する可能性がある。したがって、このようなシナリオに対処するために、必要に応じて、所定のＯＥＤパラメータに基づいて対応の閾値および／またはマージンを更新することができる。動作５１４において、動作５１２で決定された閾値および動作５１０で決定された信号パワーに基づいて、ＯＥＤメトリックを導出する。
【手続補正３】
【補正対象書類名】明細書
【補正対象項目名】００６０
【補正方法】変更
【補正の内容】
【００６０】
音声値決定回路９０４は、これらの値を任意の過渡除去回路９０８に（またはいくつかの例において平滑化回路９１０に直接に）転送することができる。過渡除去回路９０８は、周波数応答ウィンドウの前縁および後縁における過渡的なタイミング不整合を除去することができる任意の回路またはプロセスである。いくつかの例において、過渡除去回路９０８は、ウィンドウ処理によってこれらの過渡応答を除去することができる。他の例において、過渡除去回路９０８は、逆ＦＦＴ（ＩＦＦＴ）を計算し、ＩＦＦＴを値に適用してこれらの値を時間領域に変換し、予想過渡長に等しい一部の値をゼロにし、別のＦＦＴを適用してこれらの値を周波数領域に返すことによって、過渡応答を除去する。次に、音声値決定回路９０４は、これらの値を平滑化回路９１０に転送する。平滑化回路３０８に関して上述したように、平滑化回路９１０は、忘却フィルタを用いて、これらの値を平滑化することができる。